(57)【要約】【課題】Ｖ字形に成形してハンガーに設ける係止部材により受けとめさせるポールを、ハンガーに対して係着させるようにするときの、ポールの外径の大小の差異によって、係着が不確実になる。【解決手段】側面視において下位の脚片と上位の脚片とがＶ字形に対向する形状に形成する係止部材を、ハンガーの鉤部の、立ち上がり側に、上下に回動するよう軸支し、鉤部の遊端側の内壁面に、Ｖ字形の係止部材に周面の一半側が受けとめられたポールの他半側を圧接させる圧接面を形成し、鉤部の遊端部には、その鉤部の遊端部から延出する位置と鉤部の遊端部の内側に重合する位置とに切り換わる回動部材を設けて、この回動部材が鉤部の遊端部の内側に重合した状態時におけるＶ字形の係止部材の軸支点と対向する側に、その軸支点との対向間隔を狭くする圧接面を形成しておく。【選択図】図２
2005046363.tif 000002
【特許請求の範囲】
【請求項１】
鉤部２に、物干用のポール６の周面の一半側を上位側の脚片４ａと下位側の脚片４ｂとの間隔内に受けとめるＶ字形の係止部材４を、支軸Ｓ中心に上下に自在に回動するよう設け、鉤部２の内周面には、前記係止部材４に周面の一半側を嵌入させたポール６の周面の他半側に当接していく当接面ａを形成したハンガーＡにおいて、鉤部２の遊端側２ａの端部に、その遊端側２ａを延長する補助鉤部３を、連結軸Ｐにより遊端側２ａの内側に重合して畳み込まれる状態位置に回動するよう連結し、その補助鉤部３の前記状態位置における内面側に、小径のポール６’の周面の他半側に当接させる当接面ａを設けることを特徴とする物干用のハンガー。
【請求項２】
鉤部２の遊端側２ａの内側に畳み込まれた状態位置の補助鉤部３の内面側に設ける当接面ａ’を、係止部材４に周面の一半側が嵌入してその係止部材４と共に支軸Ｓ中心に上方に回動する小径のポール６’の周面の他半側の外縁ｗ’の仮想回動軌跡ｙ’に対し、上昇するに従い次第にその仮想回動軌跡ｙ’の内側に寄る弧状に形成しておくことを特徴とする請求項１記載の物干用のハンガー。
【請求項３】
鉤部２の遊端側２ａの内面側に設ける当接面ａを、係止部材４に周面の一半側が嵌入してその係止部材４と共に支軸Ｓ中心に上方に回動する太径のポール６の周面の他半側の外縁ｗの仮想回動軌跡ｙに対し、上昇するに従い次第にその仮想回動軌跡ｙの内側に寄る弧状に形成しておくことを特徴とする請求項１記載の物干用のハンガー。
【請求項４】
鉤部２の内側空間の天井部に、左右から一対に突出して合掌状に対向するアーム５０・５０よりなるロープ用の係止部材５を装設し、それの一方のアーム５０の下面側を、鉤部２の遊端側２ａの内面に形成する弧状の当接面ａに形成することを特徴とする請求項１記載の物干用のハンガー。
【発明の詳細な説明】
【技術分野】
【０００１】
本発明は、洗濯した衣服類を懸架したハンガーを、物干場に設けた物干用のポールまたはロープに引き掛けて吊り下げたときに、洗濯物が風であおられても、ハンガーがポールまたはロープから外れて飛ばされることのないように、ハンガーをポールまたはロープに対し係止せしめる係止装置付きの物干用のハンガーに関するものである。
【背景技術】
【０００２】
洗濯物をハンガーに懸架して、そのハンガーを物干用のポールまたはロープに吊り下げることで乾燥させるとき、洗濯物が風であおられてハンガーがポールまたはロープから外れて飛ばされ、洗濯物を汚すようになるのを防ぐため、ポールにハンガーを吊り下げたときに、ポールをハンガーに抱え込むようにして、ポールまたはロープからハンガーが外れないようにする係止装置をハンガーに装備せしめる手段は、例えば、実開昭５８−１６７６４３号公報・実開昭６３−８３１９５号公報にあるように、従来からある。
【０００３】
また、ハンガーを係止手段によりポールから外れないようにしても、ポールの長手方向に動く不都合が生じるので、ポールまたはロープにハンガーを引き掛けて吊り下げたときに、ポールまたはロープに対してハンガーを係着させて、ポールまたはロープの長手方向に動かないように係止手段を構成する手段も例えば実開平６−３２９４号公報などにより知られている。
【０００４】
さらに、係止手段にはポールに対する係着と、ロープに対する係着とが行えるように機能し、かつ、通常使用されたいる約３０ミリのポールと、これより小径の約２２ミリの径のポールとの両方に対応するようにしたものも例えば特開平７−４７１９３号公報などにより知られている。
【０００５】
さらにまた、ポールに対するハンガーの係着を確実にするため、ポールを抱え込ますＶ字状の係止部材を弾性資材で構成する手段も、特許第２９４９０６２号公報にあるように従来から知られている。
【特許文献１】実開昭５８−１６７６４３号公報
【特許文献２】実開昭６３−８３１９５号公報
【特許文献３】実開平６−３２９４号公報
【特許文献４】特開平７−４７１９３号公報
【特許文献５】特許第２９４９０６２号公報
【発明の開示】
【発明が解決しようとする課題】
【０００６】
洗濯物を懸架したハンガーを物干場に設置してあるポールに引き掛けたときの、そのハンガーをポールに対して係着させるために、ポールを抱え込ますＶ字形の係止部材を弾性資材により成形する特許文献５の特許第２９４９０６２号公報にある手段は、物干用のポールが、通常使用されているものに、約３０ミリの外径のパイプ材に成形されている太径のものと、約２２ミリの外径のパイプ材に成形されている小径のものとの２種があることから、例えば、太径のポールによく適応するようにすると小径のポールに対しての適応が不充分になる問題が生じてくる。
【０００７】
本発明が解決しようとする問題点は、この弾性資材によりＶ字形に成形してハンガーに設ける係止部材により受けとめさせるポールを、ハンガーに対して係着させるようにするときの、ポールの外径の大小の差異によって、係着が不確実になる点にある。
【課題を解決するための手段】
【０００８】
この課題を解決するための本発明手段は、弾性資材により側面視において下位の脚片と上位の脚片とがＶ字形に対向する形状に形成する係止部材を、ハンガーの鉤部の、立ち上がり側の上下の中間部位に、上下に回動するよう軸支し、鉤部の遊端側の内壁面に、Ｖ字形の係止部材に周面の一半側が受けとめられたポールの他半側を圧接させる圧接面を形成し、鉤部の遊端部には、支点軸中心に回動して、その鉤部の遊端部から下方に垂下する位置乃至外側に張り出す位置と鉤部の遊端部の内側に重合する位置とに切り換わる回動部材を設けて、この回動部材が鉤部の遊端部の内側に重合した状態時におけるＶ字形の係止部材の軸支点と対向する側に、その軸支点との対向間隔を狭くする第２の圧接面を形成しておくことを特徴とする。
【発明の効果】
【０００９】
この本発明手段による係止装置付きの物干用ハンガーは、鉤部の遊端側の遊端部に支点軸中心に回動するよう設けた回動部材を、鉤部の遊端側の遊端部から垂下する位置またはその遊端部の外側に張り出す位置を占めさせておけば、Ｖ字形の係止部材に周面の一半側が受けとめられたポールの周面の他半側が、鉤部の遊端側の内面に形成した圧接面に圧着していくことで、外径約３０ミリの太径のポールに良く適応するようになり、また、回動部材を鉤部の遊端側の内側に重合する状態位置を占めるようにしておけば、Ｖ字形の係止部材に周面の一半側が受けとめられたポールの周面の他半側が、この回動部材に形成した第２の圧接面に圧着していくことで、小径のポールに良く適応するようになるから、回動部材の切り換え回動により、太径のポールと小径のポールとにそれぞれ適確に係着させていけるようになる。
【発明を実施するための最良の形態】
【００１０】
本発明手段の実施において、側面視で上位側の脚片と下位側の脚片とが一端側において閉じ他端側において開くＶ字形をなす形状に形成して、ハンガーの鉤部の支柱側の中間部位に、支点軸により上下に回動するよう軸支するＶ字形の係止部材は、バネ材または弾性を有する合成樹脂等の弾性資材により成形しておくことで、受けとめるポールを、Ｖ字形に対向する上位側の脚片と下位側の脚片との開放側に押し出していく作動が、上下の脚片の弾性により行われるようにすることで有効であるが、硬質の合成樹脂材などで、Ｖ字形に対向する上下の脚片を撓曲が殆どない剛体のものに成形してよい。
【００１１】
また、本発明手段の実施において、上述のＶ字形の係止部材を支点軸により上下に回動するよう組み付ける鉤部は、通常のハンガーの鉤部と同様に鋼材・合成樹脂材により通常の形態に形成してよいものであるが、合成樹脂材により成形する場合には、弾性を具備する合成樹脂材で成形しておいて、その鉤部の直立する支柱側と遊端側との間隔が弾性的に拡縮するようにしておくことで、Ｖ字形の係止部材に受けとめられたポールの周面の他半側が鉤部の遊端側の内面側に設けた圧接面に圧接させていくときに、鉤部の弾性の復元力が圧接に効果的に利用されるようになる。
【００１２】
また、ハンガーの鉤部の遊端側の端部に支軸により回動自在に設ける回動部材は、ハンガーの鉤部の遊端側の内側に重合する状態位置に回動させたとき、および遊端側の端部から垂下する状態位置または遊端側の端部から外方に張り出す状態位置に回動させてときに、それらの状態位置に静止されるようにしておく。
【００１３】
この静止の手段としては、支軸中心とする回動部材の回動作動を、少しかためにしておくか、支軸のまわりに、前述の各状態位置に静止させる適宜のノック機構を設けるようにしてよい。
【００１４】
また、ポールに対してハンガーを係着させるためのＶ字形の係止部材は、それのＶ字状をなす上下の脚片が、ハンガーの鉤部の内側空間を横切って上下に回動するように、その鉤部の上下の中間位置に軸支し、これに受けとめられたポールの周面の他半側が鉤部の遊端側の内面側に設ける圧接面に対して圧接させて、これにより、ポールとの係着が行われるようにする。このとき、鉤部の内側空間の天井部に、ロープ用係止部材を設けるときは、ロープに係止する際に、鉤部の内側空間を横切る長い脚片が、天井を過ぎた位置まで回動する必要があり、かつ、物干し前にはＶ字形の係止部材が自体の重量で、下位側の脚片を鉤部の立上げ側の内面に当接させた位置まで回動していなければならないので、鉤部には、Ｖ字形の係止部材の回動範囲を上述の状態に規制する適宜のストッパを設けておくことが望ましい。これにより、ハンガーの鉤部をロープに対して係着させるためのロープ用係止部材を、ポール係止部材であるＶ字形の係止部材と併せて鉤部に装設するときに、そのロープ用係止部材を、この鉤部の内側空間の天井部側に装設し得るようになる。
【００１５】
このように装設するロープ用係止部材は、ハンガーの鉤部を、弾性を具備する合成樹脂材で成形した場合にあっては、その鉤部の内周面の天井部分に、鉤部の内壁から角状に分岐して突出するつの片を左右に一対に設けて、それらつの片を合掌する形状に対向させ、これらつの片の間に嵌入してくるロープを、合掌形に対向するつの片の弾性により狭持するように構成することで、ロープに対する係着が適確に行えるようになる。
【実施例】
【００１６】
図１は本発明手段を実施せる係止装置付きの物干用のハンガーの全体の正面図、図２は同上のハンガーの鉤部の補助鉤部を外側に回動させた状態における拡大正面図であり、これら図において、Ａはハンガーの全体、１はそのハンガーＡの主体部、２は主体部１の頂部に設けた鉤部、３はその鉤部２の遊端側２ａに連結軸Ｐにより回転自在に設けた補助鉤部、４は鉤部２の立ち上がり側２ｂに支軸Ｓにより回動自在に設けた竿係止用のＶ字形の係止部材、５は鉤部２の内側空間の上部に設けた紐係止用の係止部材を示す。
【００１７】
ハンガーＡの主体部１は、この例においては合成樹脂材による成形加工によって成形してあり、それの左右の両端部には、外側に開口部を具備するループ状部１０・１０と、そのループ状部１０・１０の各内側からタオル押さえとなる押さえ片１１を突設させてある。
【００１８】
そして、該主体部１の左右に張り出す肩枠部１２・１２には、それの中間部位に、下方に落ち込む引き掛け部１３が形設してあり、上面側に、多数の凸部１２０を設けて、洗濯物の滑り、ずれを防止するようにしている。また、該主体部１を構成する前記左右の肩枠部１２・１２とそれらの張出端をつなぐ底枠部１４とで囲まれる内側空間の上部位置には、ネクタイ等を掛ける片持ちのアーム１５が設けてある。
【００１９】
鉤部２は金属材・合成樹脂材等の適宜の資材で、内側空間が通常用いられている外径約３０ミリ程度の竿Ｐをゆるく嵌入させるフック状に形成して、主体部１の頂部から上方に突出するように装設する通常のものであり、主体部１とが別に成形して一体的に組み付けてよいが、この例においては、主体部１を成形する合成樹脂材を用いて、主体部１と一体に連続する形態に成形してあり、それの遊端側２ａの下端側の内面および立ち上がり側２ｂの内面には、連結軸Ｐを回転自在に嵌合させる軸穴２０と、支軸Ｓを回転自在に嵌合させる軸穴２１とが、それぞれ開放口を具備する馬蹄形状に形設してある。
【００２０】
鉤部２の遊端側の下端部に設ける補助鉤部３は、鉤部２とは別体に形成して、鉤部２に対し連結軸Ｐによりその連結軸Ｐ中心に自在に回動するように組み付けている。
【００２１】
補助鉤部３はこの例においては、合成樹脂材により、図４乃至図８に示しているように、２枚の板部材３ａ・３ｂが、前述の鉤部２の前後の厚さに略対応する間隔をおいて並列対向し、それらの基端側において前記間隔内に渡架する連結軸Ｐと、先端側においてそれらの間隔を埋めるスペーサ状の先端片３ｃとが、一体に連結する正面視で略勾玉状の形状に形成してあり、それの前記連結軸Ｐを、鉤部２の内側空間側に対面する遊端側２ａの内面の端部に形設してある嵌合凹部状の軸穴２０に嵌合させることにより、この連結軸Ｐ中心に鉤部２に対し上下に自在に回動するように鉤部２に組み付けられている。
【００２２】
そして、この補助鉤部３には、それの２枚の板部材３ａ・３ｂの各内面側に、いぼ状の突起３０・３０が設けてあって、この突起３０が鉤部２の遊端側２ａの前後の壁面に設けておく凹み２２・２２に嵌合することで、鉤部２に対する補助鉤部３の連結軸Ｐ中心とする回動が抑止され、その回動位置に保定されるようにしてあり、その回動位置は、図１にあるように補助鉤部３が鉤部２の遊端側２ａからそれを下方に延長するようになる状態位置と、図９にあるように、補助鉤部３が鉤部２の遊端側２ａの内側に畳み込まれて、尚かつ、３（勾玉の先端部を形成している根の部分）が２ａの内側を壁として、それ以上回動せず物干竿をしっかりと受け止めることになる鉤部２の内側空間の左右の間隔巾を、狭めるようになる状態位置とに設定している。
【００２３】
そしてまた、この補助鉤部３の左右の壁面のうちで、前述の図９にあるよう鉤部２の遊端側２ａの内側に畳み込まれた状態時における、鉤部２の内側空間に対面する側の壁面は、図１０にあるように、通常市販されている直径が略２２ミリの小径のポール６の周面形状に略対応する弧状の当接面ａに形成してある。
【００２４】
竿係止用のＶ字形の係止部材４は、金属材または合成樹脂材により、図１１にあるように、長脚片に形成してある上位側の脚片４ａと短脚片に形成したる下位側の脚片４ｂとが、それらの一端側において一体に連結してＶ字形をなすように成形し、その上位側の脚片４ａと下位側の脚片４ｂとの連結部となるかなめの部位を、支軸Ｓにより鉤部２に対し上下に回動自在に軸支するが、この例においては、弾性を具備する合成樹脂材を用いて、図１２乃至図１５にあるように、表・裏の２枚の板部材４０・４１が、鉤部２の板厚に対応する間隔をおいて対向し、それら板部材４０・４１が、つなぎ部材４２・４２により一体に連結する形態のものとして成形してある。
【００２５】
そして、この例においては、Ｖ字形の係止部材４を鉤部２に軸支する支軸Ｓが、このＶ字形の係止部材４の側に、それの表裏の２枚の板部材４０・４１をつなぐつなぎ部材となるように設けられ、この支軸Ｓを、鉤部２の立ち上がり側２ｂの内壁面で、図１０の如く畳み込まれた状態位置にある補助鉤部３の前述の弧状の当接面ａと対向する部位に、開放口のある嵌合凹部状に設けておいた軸穴２１に対し嵌合することにより、このＶ字形の係止部材４が上位側の脚片４ａを上位とし下位側の脚片４ｂを下位とした姿勢で、支軸Ｓ中心に上下に回動するよう組み付けられるようにしてある。
【００２６】
このとき、このＶ字形の係止部材４は、それの上位側の脚片４ａの側を、それの前後に一対に対向する板部材４０・４１が、鉤部２の前後の両面にそれぞれ位置するように、鉤部２の頂部側から嵌挿した状態として、鉤部２に組み付け軸支する。
【００２７】
この組み付け軸支によりＶ字形の係止部材４は、下位側の脚片４ｂの突出端側のつなぎ部材４２が、鉤部２の立上げ側２ｂの内周面に当接して下降回動が阻止される図２に示す状態位置から、その脚片４ａの上面側が、図１６にあるように、鉤部２の表裏に、板厚を厚くするように設けておく段部２３に当接して回動が阻止されるまでの間を、支軸Ｓ中心に回動するようになる。
【００２８】
ロープ係止用の係止部材５は、鉤部２の内側空間の天井側で、畳み込まれた状態にある補助鉤部３およびＶ字形の係止部材４の軸支点である軸穴２１の上方に位置する部位に、図３にあるよう左右からそれぞれ角状に突出して、突出端側が合掌するように突き合わされるアーム５０・５０を設け、それらの突出端側を、鉤部２の内側空間の天井部の内面に近接させ、かつ、この一対のアーム５０・５０を、鉤部２を成形する合成樹脂材に弾性を具備する素材を用いて、弾性材に形成しておくことで、この一対のアーム５０・５０間に嵌入してくるロープＲを狭持して係着していくように構成している。
【００２９】
このように構成する本発明による係止装置付きのハンガーＡは、補助鉤部３を、鉤部２の遊端側２ａを延長する方向に回動させた状態としておくときは、通常の直径が略３０ミリの物干用のポール（竿）６に引き掛けていくと、ポール６が鉤部２の内側空間内に嵌入し、かつ、その内側空間を横切る状態にあるＶ字形の係止部材４の長脚片である上位側の脚片４ａの下面側に当接してその長脚片４ａを上方に押し上げながら、その長脚片４ａとでＶ字形をなす短脚片である下位側の脚片４ｂとの間に該ポール６の周面の一半側が嵌入していき、そのポール６の周面の他半側が、鉤部２の遊端側２ａの内周面に形成してある太径のポール６の周面に倣う弧状の当接面ａに圧接していく。
【００３０】
この鉤部２の遊端側２ａ内周面に形成する弧状の当接面ａは、図１７にあるように、Ｖ字形の係止部材４の上位側の脚片４ａと下位側の脚片４ｂとに周面の一半側が嵌入してその係止部材４に保持されたポール６が、係止部材４と共に支軸Ｓ中心に上方に回動していくときの、そのポール６の周面の他半側の外縁ｗの仮想回動軌跡ｙに対して、次第に内側に位置するように設定してあり、これにより、ポール６は係止部材４の支軸Ｓ側に向け押し込まれ、それにより係止部材４の上位側の脚片４ａと下位側の脚片４ｂをそれらの間隔が開くように変形させようとする力が働き、鉤部２および係止部材４を弾性資材で成形している場合は、鉤部２の遊端側２ａの内面と支軸Ｓとの間隔と脚片４ａと脚片４ｂとの間隔を広げていき、ポール６の周面の他半側が弧状の当接面ａに圧接して上昇が規制されたときに、上位側の脚片４ａおよび下位側の脚片４ｂの弾性の復元力と鉤部２自体の復元でポール６が弧状の当接面ａに向け押し出されて、その当接面ａに係着していくようになる。
【００３１】
そして、この状態からハンガーＡをポール６に対して上昇させれば、ポール６により上位側の脚片４ａを上向きに回動させていた力が無くなることで、係止部材４が下方に回動して図７の旧の状態に戻り、ハンガーＡはポール６から簡単に外れるようになる。
【００３２】
また、補助鉤部３を図９にあるように、鉤部２の遊端側の内側に畳み込まれた状態位置に回動させておいて、通常の市販されている直径が略２２ミリの小径のポール６’にハンガーＡを引き掛けると、太径のポール６に引き掛けたときと同様に、ハンガーＡに対し相対的に動くようになるポール６’が、係止部材４の長脚片４ａの下縁に接してこれを押し上げ、係止部材４を上向きに回動させながら、図９にあるように、上位側の脚片４ａと下位側の脚片４ｂとの間隔内に周面の一半側を嵌入させた状態となって上昇し、図１０にあるように、畳み込まれた位置にある補助鉤部３の当接面ａに周面の他半側を当接させていき、この当接面ａによる押し返しで脚片４ａと脚片４ｂおよび鉤部２自体をとを弾性的に変形させてそれらの間隔を押し拡げて嵌入し、その弾性復元により間隔内から押し出されて当接面ａに係着していくようになる。
【００３３】
この当接面ａは、係止部材４の上位側の脚片４ａと下位側の脚片４ｂとの間隔内に周面の一半側を嵌入させたポール６’が、係止部材４の支軸Ｓを中心とする回動により、ポール６の周面の他半側の外縁ｗ’が回動していく仮想回動軌跡ｙ’に対して、図９にあるように、上昇するに従い次第に張り出してくるように設定してあることで、図１０にあるようにポール６’の係止部材４と一緒の上昇が当接面ａの上端側に圧接されることで規制されてストップし、この状態位置で係着するようになる。
【００３４】
また、補助鉤部３を図２にある状態位置または図９にある状態位置に保定させた状態において、ロープＲにハンガーＡを引き掛ければ、そのロープＲが、鉤部２の内側空間の天井部位に一対に対向するように設けてあるアーム５０・５０の、合掌するように突き合わされている先端側の間に嵌入していくことで、これに狭持されるようになって係着していく。
【産業上の利用可能性】
【００３５】
以上説明したように、本発明手段においては、鉤部２に、ポール６の周面の一半側が嵌入するＶ字形の係止部材４を設けて、これに嵌合したポール６の周面の他半側が鉤部２の内周側に形成した当接面ａに圧接させるハンガーＡにおいて、鉤部２の遊端側２ａの端部に、補助鉤部３を遊端側の内面側に重合する畳み込まれた状態に切り換わるよう設けて、その状態時の内面側に小径のポール６’用の当接面ａを設けているのだから、補助鉤部３を遊端側２ａを引き出した状態位置に保持させておくことで太径のポール６に対応し、畳み込んだ状態位置に保持させておくことで小径のポール６の対応するようになり、太径のポール６および小径のポール６’に対し適確に係着させ得るようになる。また、鉤部２の内側空間の天井部にロープ係止用の合掌状のアーム５０・５０を設けたときは、ロープＲに対しても係着させるようになる。
【図面の簡単な説明】
【００３６】
【図１】本発明を実施せる物干用のハンガーの全体の正面図である。
【図２】同上のハンガーの鉤部の正面図である。
【図３】同上鉤部の補助鉤部およびＶ字形の係止部材を組み付ける前の状態における正面図である。
【図４】同上鉤部に組み付ける補助鉤部の正面図である。
【図５】同上の補助鉤部の平面図である。
【図６】同上の補助鉤部の底面図である。
【図７】同上の補助鉤部の左側面図である。
【図８】同上の補助鉤部の右側面図である。
【図９】同上鉤部の補助鉤部を遊端側の内側に畳み込んだ状態時の正面図である。
【図１０】同上鉤部の小径のポールに引き掛けた状態時の正面図である。
【図１１】同上鉤部に組み付けるＶ字形の係止部材の正面図である。
【図１２】同上の係止部材の平面図である。
【図１３】同上の係止部材の底面図である。
【図１４】同上の係止部材の左側面図である。
【図１５】同上の係止部材の右側面図である。
【図１６】同上鉤部の係止部材の上向き回動がエンドに達した状態時の正面図である。
【図１７】同上鉤部の補助鉤部を引き出した状態で太径のポールに引き掛けていくときの説明図である。
【図１８】同上鉤部が太径のポールに係着した状態時の説明図である。
【符号の説明】
【００３７】
Ａ…ハンガー、Ｐ…連結軸、Ｒ…ロープ、Ｓ…支軸、ａ・ａ’…当接面、ｗ・ｗ’…外縁、ｙ・ｙ’…仮想回動軌跡、１…主体部、１０…ループ状部、１１…押さえ片、１２…肩枠部、１２０…凸部、１３…引き掛け部、１４…底枠部、１５…アーム、２…鉤部、２ａ…遊端側、２ｂ…立ち上がり側、２０・２１…軸穴、２２…凹部、２３…段部、３…補助鉤部、３ａ・３ｂ…板部材、３ｃ…先端片、３０…突起、４…係止部材、４ａ…長脚片、４ｂ…短脚片、４０・４１…板部材、４２…つなぎ部材、５…係止部材、５０…アーム、６・６’…ポール。
【図１】
2005046363.tif 000003
【図２】
2005046363.tif 000004
【図３】
2005046363.tif 000005
【図４】
2005046363.tif 000006
【図５】
2005046363.tif 000007
【図６】
2005046363.tif 000008
【図７】
2005046363.tif 000009
【図８】
2005046363.tif 000010
【図９】
2005046363.tif 000011
【図１０】
2005046363.tif 000012
【図１１】
2005046363.tif 000013
【図１２】
2005046363.tif 000014
【図１３】
2005046363.tif 000015
【図１４】
2005046363.tif 000016
【図１５】
2005046363.tif 000017
【図１６】
2005046363.tif 000018
【図１７】
2005046363.tif 000019
【図１８】
2005046363.tif 000020